【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
進み／遅れを修正するための第１のリュウズ（４）と、及び公称振動数Ｎ０の振動を発生させるように構成している振動式共振器（２）とを有する腕時計（１）を準備するための汎用準備デバイス（１０００）であって、
当該汎用準備デバイス（１０００）は、前記第１のリュウズ（４）を操作するための少なくとも１つのロボット的マニピュレーター（３０６）を有する前記腕時計（１）をワインドし進み／遅れを修正する手段を有し、
当該汎用準備デバイス（１０００）は、前記腕時計（１）の進み／遅れを修正するための少なくとも１つの進み／遅れ修正デバイス（３００）を有する調整デバイスを有し、
この進み／遅れ修正デバイス（３００）は、修正振動数ＮＣの振動を発生させて前記腕時計（１）に前記修正振動数ＮＣの振動及び／又は変調された運動を与えるように構成している進み／遅れ修正発振器（３０１）を有し、
前記進み／遅れ修正デバイス（３００）は、前記進み／遅れ修正発振器（３０１）の振動を制御するように構成している進み／遅れ制御手段（３０２）を有し、
この進み／遅れ制御手段（３０２）は、当該汎用準備デバイス（１０００）に備えられ腕時計（１）の進み／遅れを測定するための進み／遅れ測定手段（３０３）と接続し、
前記進み／遅れ修正デバイス（３００）は、機械的又は自動の腕時計用の自動ワインダー（３０４）を有し、
前記進み／遅れ修正発振器（３０１）が発生する振動及び／又は運動が与えられる少なくとも１つの腕時計ホルダースタンド（３０５）を有する
ことを特徴とする汎用準備デバイス（１０００）。
【請求項２】
前記進み／遅れ制御手段（３０２）は、さらに、マスター発振器（２０１）が発生する前記公称振動数Ｎ０又はその整数の倍数とほぼ等しい励起振動数ＮＥの励起振動を制御するように構成しており、
前記マスター発振器（２０１）は、基準（２０２）に対してレート変化のマスター値ＡＭを有し、
このレート変化のマスター値ＡＭは、前記基準（２０２）に対する前記腕時計（１）のレート変化の初期値ＤＩよりも小さく、
前記進み／遅れ制御手段（３０２）は、当該汎用準備デバイス（１０００）が備え前記腕時計（１）のレート変化を測定するためのレート測定手段（２０３）と接続している
ことを特徴とする請求項１に記載の汎用準備デバイス（１０００）。
【請求項３】
前記進み／遅れ修正発振器（３０１）と前記マスター発振器（２０１）を同じ発振器が形成している
ことを特徴とする請求項１に記載の汎用準備デバイス（１０００）。
【請求項４】
機械式又は自動式の腕時計のための前記自動ワインダー（３０４）は、モーター駆動され、前記腕時計（１）とその振動錘を動かすこと及び／又は前記腕時計（１）の振動錘を磁気駆動することによって、自動腕時計を自動的にワインドすることができる
ことを特徴とする請求項１に記載の汎用準備デバイス（１０００）。
【請求項５】
前記少なくとも１つのロボット的マニピュレーター（３０６）は、前記第１のリュウズ（４）をしっかりとつかむ第１の取り外し可能なキャップ（４１）を操り、又は前記第１のリュウズ（４）に備えられる周部溝（４０）をつかむように構成している
ことを特徴とする請求項１に記載の汎用準備デバイス（１０００）。
【請求項６】
前記自動ワインダー（３０４）は、前記第１のリュウズ（４）又は特にワインドするための第２のリュウズ（９）を操ること、前記第１のリュウズ（４）をしっかりとつかむ前記第１の取り外し可能なキャップ（４１）、又は前記第２のリュウズ（９）をしっかりとつかむ第２の取り外し可能なキャップ（９１）によって、前記腕時計（１）に備えられるエネルギー格納手段（５）をチャージするための少なくとも１つの前記ロボット的マニピュレーター（３０６）を有する
ことを特徴とする請求項１に記載の汎用準備デバイス（１０００）。
【請求項７】
当該汎用準備デバイス（１０００）は、ビジョンシステム（１００２）を有する前記進み／遅れ測定手段（３０３）が参照する基準クロック（１００１）を有し、
前記進み／遅れ制御手段（３０２）は、前記クロック基準に対する進み／遅れが１分未満であるときに、前記腕時計の進み／遅れを前記基準クロック（１００１）の値に戻すように進み／遅れ修正発振器（３０１）の少なくとも１つの振動を発生させるように構成しており、又は前記基準クロックに対する進み／遅れが１分よりも大きいときに、ロボット的マニピュレーター（３０６）が前記第１のリュウズ（４）を操って前記腕時計（１）の進み／遅れを調整するように構成している
ことを特徴とする請求項１に記載の汎用準備デバイス（１０００）。
【請求項８】
前記レート測定手段（２０３）は、前記振動式共振器（２）の振動数、レート及び振幅を評価するための少なくとも１つのマイクロホン（１００３）を有し、
前記進み／遅れ制御手段（３０２）は、所定のしきい値より大きなレート変化が観察されるときに、マスター発振器（２０１）が発生する前記励起振動数ＮＥの少なくとも１つの励起振動を制御して、前記レート変化のマスター値ＡＭと前記レート変化の初期値ＤＩの間の中間値に前記レート変化を戻すように構成している
ことを特徴とする請求項２に記載の汎用準備デバイス（１０００）。
【請求項９】
請求項１に記載の汎用準備デバイス（１０００）及び少なくとも１つの腕時計（１）を有する腕時計バンク（２０００）のための格納構成であって、
前記腕時計（１）は、少なくとも１つの振動式共振器（２）、前記第１のリュウズ（４）を備える制御ステムを介して進み／遅れを修正する手段、及びエネルギー格納手段（５）又はバレルを有するタイムベースと、及びエネルギーチャージ手段（６）とを有し、
腕時計バンク（２０００）のための前記格納構成の前記腕時計（１）にはそれぞれ、その腕時計（１）の進み／遅れを自動調整するために、前記第１のリュウズ（４）及び／又は前記第１のリュウズ（４）をしっかりとつかむように構成している第１の取り外し可能なキャップ（４１）のまわりに第１の溝（４０）があり、これによって、ロボット的マニピュレーター（３０６）による並進運動及び／又は回転をする前記第１のリュウズ（４）の操作が可能になる
ことを特徴とする腕時計格納構成。
【請求項１０】
前記エネルギーチャージ手段（６）は、少なくとも１つの振動錘（７）を有する自動ワインド機構、及び／又は前記制御ステム、又は第２のリュウズ（９）又はプッシャーを有するワインダー（８）を用いる手動ワインド機構によって形成される
ことを特徴とする請求項９に記載の腕時計格納構成。
【請求項１１】
少なくとも１つの前記腕時計（１）には、その自動エネルギーチャージのために、前記第２のリュウズ（９）及び／又は前記第２のリュウズ（９）をしっかりとつかむように構成している第２の取り外し可能なキャップ（９１）のまわりに第２の溝（９０）があり、これによって、ロボット的マニピュレーター（３０６）によって並進運動及び／又は回転をする前記第２のリュウズ（９）の操作が可能になる
ことを特徴とする請求項１０に記載の腕時計格納構成。
【請求項１２】
前記エネルギーチャージ手段（６）は、前記腕時計（１）のケース内に少なくとも１つの車セットを有する自動ワインド機構によって形成されており、前記自動ワインダー（３０４）又は前記スタンド（３０５）に備えられる非接触の駆動手段、又は磁場又は静電場によって、非接触で駆動されるように構成している
ことを特徴とする請求項９に記載の腕時計格納構成。
【請求項１３】
少なくとも１つの前記腕時計（１）は、腕時計のための取り外し可能なキャップ（４１、９１）を有し、このキャップの内側輪郭は、リュウズ（４、９）又は前記腕時計（１）に備えられるアクチュエーター（１０）の外側輪郭に対して相補的であり、
前記取り外し可能なキャップ（４１、９１）は、前記取り外し可能なキャップ（４１、９１）を前記リュウズ（４、９）又は前記アクチュエーター（１０）上に半径方向又は正面方向にて挿入することができる第１の提示位置と、前記取り外し可能なキャップ（４１、９１）が前記リュウズ（４、９）又は前記アクチュエーター（１０）を軸方向及び／又は半径方向にしっかりとつかむことができる第２のクランプ位置との間で連接変形可能かつ／又は弾性変形可能であり、
前記取り外し可能なキャップ（４１、９１）は、その前記第２のクランプ位置において、すべての自由度において前記ロボット的マニピュレーター（３０６）による操作を可能にするように構成している外側グリップ手段（１１）を有する
ことを特徴とする請求項９に記載の腕時計格納構成。
【請求項１４】
請求項９に記載の腕時計格納構成の腕時計（１）の進み／遅れを調整する方法であって、
前記腕時計（１）の前記第１のリュウズ（４）に適している前記第１の取り外し可能なキャップ（４１）が識別され、
前記第１のリュウズ（４）が外側に引かれ、
前記第１のリュウズに前記第１の取り外し可能なキャップ（４１）が取り付けられ、
前記腕時計（１）は、前記汎用準備デバイス（１０００）の前記スタンド（３０５）上に配置され、
前記進み／遅れ測定手段（３０３）を活性化し前記腕時計（１）の進み／遅れを測定するように制御手段（１８）に対して作用し、
前記腕時計（１）の進み／遅れは、前記進み／遅れ制御手段（３０２）によって制御される前記ロボット的マニピュレーター（３０６）によって調整される
ことを特徴とする方法。